(57)【要約】【課題】  予備放電電極を設けたプラズマディスプレイパネルにおいて、安定した動作で静止画像を良好に表示でき、かつ、安定した動画を良好に表示できるプラズマディスプレイパネルの駆動方法、及びプラズマ表示装置を提供する。【解決手段】  プラズマディスプレイパネルと駆動制御部とを含んだプラズマ表示装置を用いる。駆動制御部は、駆動制御信号を出力する。駆動制御信号は、１フィールドを複数のサブフィールドに分割し、複数のサブフィールドの各々において発生させる予備放電を予備放電ギャップ２１で発生させ、複数のサブフィールドの少なくとも一つにおいて表示ギャップ２０で予備放電を発生させる。プラズマディスプレイパネルは、その出力に基づいて駆動する。【選択図】        図１
2005010762.tif 000002
【特許請求の範囲】
【請求項１】
前面基板と前記前面基板に対向する背面基板とで形成され、前記前面基板と前記背面基板との間隙に放電空間を有するプラズマディスプレイパネルと、
前記プラズマディスプレイパネルを駆動するための駆動制御信号を出力する駆動制御部と、を含み、
前記前面基板は、第１方向に延伸する複数の走査電極と、前記複数の走査電極に平行な複数の維持電極と、前記走査電極に平行な複数の予備放電電極と、を備え、
前記背面基板は、前記第１方向と異なる第２方向に延伸するデータ電極を備え、
前記走査電極と前記予備放電電極の間隙、または、前記維持電極と前記予備放電電極の間隙の少なくとも一方で、放電を発生させる予備放電ギャップを有し、前記走査電極と前記維持電極の間隙に放電を発生させる表示ギャップを有し、
前記駆動制御部は、１フィールドを複数のサブフィールドに分割し、
前記複数のサブフィールドの任意のサブフィールドにおいて前記予備放電ギャップで前記予備放電を発生させ、前記複数のサブフィールドの少なくとも一つにおいて前記表示ギャップで予備放電を発生させる駆動制御信号を出力し、
前記プラズマディスプレイパネルは、前記出力に基づいて駆動する
プラズマ表示装置。
【請求項２】
請求項１に記載のプラズマ表示装置において、
前記走査電極と前記予備放電電極の間隙で、放電を発生させる予備放電ギャップを有し、
前記駆動制御部は、
前記走査電極に印加される走査パルスに同期して、前記データ電極に選択的にデータパルスを印加することにより前記走査電極と前記データ電極の間で放電を発生させ、
前記走査パルス印加時の予備放電ギャップ電位差を、前記走査電極と前記データ電極とで放電が発生しているときに予備放電ギャップで放電が発生する閾値、よりも大きくし、
前記走査パルス印加時の予備放電ギャップ電位差を、前記走査電極と前記データ電極とで放電が発生していないときに予備放電ギャップで放電が発生する閾値、よりも小さくし、
前記走査電極と前記データ電極の間の放電発生後に、維持放電を発生させ、
前記維持放電の、少なくとも第１番目の維持放電を前記予備放電ギャップで発生させる駆動制御信号を出力し、
前記プラズマディスプレイパネルは、前記出力に基づいて駆動する
プラズマ表示装置。
【請求項３】
請求項２に記載のプラズマ表示装置において、
前記駆動制御部は、
少なくとも第１番目の維持放電を前記予備放電ギャップで発生させ、他の維持放電を前記表示ギャップで発生させ、
前記放電空間の電荷分布を初期化する維持消去放電を、前記予備放電ギャップと前記表示ギャップとの両方で発生させる駆動制御信号を出力し、
前記プラズマディスプレイパネルは、前記出力に基づいて駆動する
プラズマ表示装置。
【請求項４】
請求項２に記載のプラズマ表示装置において、
前記駆動制御部は、
第１番目を含む維持放電を、前記表示ギャップで発生させ、
前記放電空間の電荷分布を初期化する維持消去放電を、前記予備放電ギャップと前記表示ギャップの両方で発生させる駆動制御信号を出力し、
前記プラズマディスプレイパネルは、前記出力に基づいて駆動する
プラズマ表示装置。
【請求項５】
請求項３または４に記載のプラズマ表示装置において、
前記駆動制御部は、前記維持消去放電を前記表示ギャップと前記予備放電ギャップとの両方に、同時に発生させる駆動制御信号を出力し、
前記プラズマディスプレイパネルは、前記出力に基づいて駆動する
プラズマ表示装置。
【請求項６】
請求項２乃至５の何れか１項に記載のプラズマ表示装置において、
前記駆動制御部は、
前記走査パルス印加時の表示ギャップ電位差を、前記走査電極と前記データ電極とで放電が発生しているときに表示ギャップで放電が発生する閾値、よりも大きくし、
前記走査パルス印加時の表示ギャップ電位差を、前記走査電極と前記データ電極とで放電が発生していないときに表示ギャップで放電が発生する閾値、よりも小さくする駆動制御信号を出力し、
前記プラズマディスプレイパネルは、前記出力に基づいて駆動する
プラズマ表示装置。
【請求項７】
請求項１乃至６の何れか１項に記載のプラズマ表示装置において、
前記駆動制御部は、前記複数のサブフィールドの各々において、前記予備放電ギャップで前記予備放電を発生させる駆動制御信号を出力し、
前記プラズマディスプレイパネルは、前記出力に基づいて駆動する
プラズマ表示装置。
【請求項８】
請求項１乃至６の何れか１項に記載のプラズマ表示装置において、
前記駆動制御部は、前記複数のサブフィールドの少なくとも一つのサブフィールドにおいて、前記表示ギャップのみで前記予備放電を発生させる駆動制御信号を出力し、
前記プラズマディスプレイパネルは、前記出力に基づいて駆動する
プラズマ表示装置。
【請求項９】
請求項１乃至６の何れか１項に記載のプラズマ表示装置において、
前記駆動制御部は、
前記複数のサブフィールドのうち少なくとも一つのサブフィールドにおいて、前記予備放電ギャップのみに前記予備放電を発生させ、
前記予備放電ギャップで予備放電を行うサブフィールド以外のサブフィールドにおいて、前記表示ギャップのみに前記予備放電を発生させる駆動制御信号を出力し、
前記プラズマディスプレイパネルは、前記出力に基づいて駆動する
プラズマ表示装置。
【請求項１０】
請求項１に記載のプラズマ表示装置において、
前記駆動制御部は、前記表示ギャップで発生する表示放電の履歴を検出し、前記履歴に基づいて、前記予備放電を前記表示ギャップで行うか否かを制御する
プラズマ表示装置。
【請求項１１】
請求項１０に記載のプラズマ表示装置において、
前記表示放電の履歴は、所定の期間及び所定の領域の少なくとも一方あたりのセルの発光回数である
プラズマ表示装置。
【請求項１２】
前面基板と前記前面基板に対向する背面基板とで形成され、前記前面基板と前記背面基板との間隙に放電空間を有するプラズマディスプレイパネルと、
前記前面基板は、第１方向に延伸する複数の走査電極と、前記複数の走査電極に平行な複数の維持電極と、前記走査電極に平行な複数の予備放電電極と、を備え、
前記背面基板は、前記第１方向と異なる第２方向に延伸するデータ電極を備え、
前記走査電極と前記予備放電電極の間隙または、前記維持電極と前記予備放電電極の間隙の少なくとも一方で、放電を発生させる予備放電ギャップを有し、前記走査電極と前記維持電極の間隙に放電を発生させる表示ギャップを有するプラズマディスプレイパネルの駆動方法であって、
１フィールドを複数のサブフィールドに分割するステップと、
前記複数のサブフィールドの任意のサブフィールドにおいて、前記予備放電ギャップで予備放電を行うステップと、
前記複数のサブフィールドの少なくとも一つにおいて、前記表示ギャップで予備放電を行うステップと
を具備する
プラズマディスプレイパネルの駆動方法。
【請求項１３】
前記走査電極と前記予備放電電極の間隙で、放電を発生させる予備放電ギャップを有した請求項１２に記載のプラズマディスプレイパネルの駆動方法において、
前記走査電極に印加される走査パルスに同期して、前記データ電極に選択的にデータパルスを印加することにより前記走査電極と前記データ電極の間で放電を行うステップと、
前記走査電極と前記データ電極の間の放電発生後に、維持放電を発生させるステップと
を更に具備し、
前記走査パルス印加時の予備放電ギャップ電位差は、前記走査電極と前記データ電極とで放電が発生しているときに予備放電ギャップで放電が発生する閾値、よりも大きく、前記走査電極と前記データ電極とで放電が発生していないときに予備放電ギャップで放電が発生する閾値、よりも小さく設定され、
前記維持放電は、少なくとも第１番目の維持放電を前記予備放電ギャップで発生させる
プラズマディスプレイパネルの駆動方法。
【請求項１４】
請求項１３に記載のプラズマディスプレイパネルの駆動方法において、
前記放電空間の電荷分布を初期化する維持消去放電を、前記予備放電ギャップと前記表示ギャップとの両方で発生させるステップを更に具備し、
前記維持放電を発生させるステップは、
少なくとも第１番目の維持放電を前記予備放電ギャップで発生させるステップと、
他の維持放電を前記表示ギャップで発生させるステップと
を備える
プラズマディスプレイパネルの駆動方法。
【請求項１５】
請求項１３に記載のプラズマディスプレイパネルの駆動方法において、
前記放電空間の電荷分布を初期化する維持消去放電を、前記予備放電ギャップと前記表示ギャップとの両方で発生させるステップを更に具備し、
前記維持放電を発生させるステップは、第１番目を含む維持放電を、前記表示ギャップで発生させるステップを備える
プラズマディスプレイパネルの駆動方法。
【請求項１６】
請求項１４または１５に記載のプラズマディスプレイパネルの駆動方法において、
前記維持消去放電を発生させるステップは、前記維持消去放電を前記表示ギャップと前記予備放電ギャップとの両方に、同時に発生させるステップを備える
プラズマディスプレイパネルの駆動方法。
【請求項１７】
請求項１３乃至１６の何れか１項に記載のプラズマディスプレイパネルの駆動方法において、
前記走査パルス印加時の表示ギャップ電位差は、前記走査電極と前記データ電極とで放電が発生しているときに表示ギャップで放電が発生する閾値、よりも大きく、前記走査電極と前記データ電極とで放電が発生していないときに表示ギャップで放電が発生する閾値、よりも小さく設定されている
プラズマディスプレイパネルの駆動方法。
【請求項１８】
請求項１２乃至１７の何れか１項に記載のプラズマディスプレイパネルの駆動方法において、
前記複数のサブフィールドの任意のサブフィールドにおいて前記予備放電ギャップで予備放電を行うステップは、
前記複数のサブフィールドの各々において、前記予備放電ギャップで前記予備放電を発生させるステップを備える
プラズマディスプレイパネルの駆動方法。
【請求項１９】
請求項１２乃至１７の何れか１項に記載のプラズマディスプレイパネルの駆動方法において、
前記複数のサブフィールドの少なくとも一つにおいて前記表示ギャップで予備放電を行うステップは、
前記複数のサブフィールドの各々において、前記表示ギャップで予備放電を行うステップを備える
プラズマディスプレイパネルの駆動方法。
【請求項２０】
請求項１２乃至１７の何れか１項に記載のプラズマディスプレイパネルの駆動方法において、
前記複数のサブフィールドの少なくとも一つにおいて前記表示ギャップで予備放電を行うステップは、
前記複数のサブフィールドのうち一つにおいて、前記予備放電を前記表示ギャップに発生させるステップを備える
プラズマディスプレイパネルの駆動方法。
【請求項２１】
請求項１２乃至１７の何れか１項に記載のプラズマディスプレイパネルの駆動方法において、
前記複数のサブフィールドの任意のサブフィールドにおいて前記予備放電ギャップで予備放電を行うステップは、
前記複数のサブフィールドのうち少なくとも一つにおいて、前記予備放電ギャップのみに前記予備放電を発生させるステップを備え、
前記複数のサブフィールドの少なくとも一つにおいて前記表示ギャップで予備放電を行うステップは、
前記予備放電ギャップで予備放電を行うサブフィールド以外のサブフィールドにおいて、前記表示ギャップのみに前記予備放電を発生させるステップを備える
プラズマディスプレイパネルの駆動方法。
【請求項２２】
請求項１２に記載のプラズマディスプレイパネルの駆動方法において、
前記表示ギャップで発生する表示放電の履歴を検出するステップと、
前記履歴に基づいて、前記予備放電を前記表示ギャップで行うか否かを制御するステップと
を更に具備するプラズマディスプレイパネルの駆動方法。
【請求項２３】
請求項２２に記載のプラズマディスプレイパネルの駆動方法において、
前記表示放電の履歴は、所定の期間及び所定の領域の少なくとも一方あたりのセルの発光回数である
プラズマディスプレイパネルの駆動方法。
【請求項２４】
互いに対向する前面基板と背面基板との間隙に放電空間を有し、前記放電空間に複数の表示放電ギャップと予備放電ギャップが形成され、１フィールドを複数のサブフィールドに分割して表示するプラズマ表示装置において、
１フィールド又は所定の複数フィールドのうちの少なくとも１サブフィールドには前記表示放電ギャップで予備放電を発生させることを特徴とするプラズマ表示装置。
【請求項２５】
互いに対向する前面基板と背面基板との間隙に放電空間を有し、前記放電空間に複数の表示放電ギャップと前記表示放電ギャップに対応する複数の予備放電ギャップが形成され、１フィールドを複数のサブフィールドに分割して表示するプラズマ表示装置において、
前記表示放電ギャップで発生する表示放電の履歴を検出し、前記履歴に応じて表示放電ギャップで発生する予備放電を制御することを特徴とするプラズマ表示装置。
【発明の詳細な説明】
【技術分野】
【０００１】
本発明はプラズマ表示装置、及び、プラズマディスプレイパネルの駆動方法に関する。
【背景技術】
【０００２】
プラズマディスプレイパネルには、構造上の分類により、電極が放電ガスに露出しているＤＣ型と、電極が誘電体に覆われているため、放電ガスへは直接露出していないＡＣ型がある。さらに、ＡＣ型には上記誘電体の電化蓄積作用によるメモリ機能を利用するメモリ動作型と、これを利用しないリフレッシュ動作型がある。
【０００３】
以下に、図面を用いて、従来のプラズマディスプレイパネルの概略的な構造を述べる。図２７は、ＡＣ型プラズマディスプレイパネルの構成を示す投影図である。図２７を参照すると、従来のプラズマディスプレイパネル１００は、前面基板１と背面基板２で構成されている。
【０００４】
前面基板１は、透明ガラス基板１ａと、透明ガラス基板１ａ上に平行に配置された走査電極３と、透明ガラス基板１ａ上に維持電極４と、透明ガラス基板１ａ上に形成され、走査電極３と維持電極４とを覆う透明誘電体層５ａと、その透明誘電体層５ａを覆う表面保護層６とから構成されている。その走査電極３と維持電極４は相互に平行に形成されている。
【０００５】
背面基板２は、透明ガラス基板２ａと、透明ガラス基板２ａ上に形成されたデータ電極８と、透明ガラス基板２ａ上に形成され、そのデータ電極を覆う白色誘電体層５ｂと、その白色誘電体層５ｂ上に形成され、表示セルを区画する隔壁１０とから構成されている。そのデータ電極８は走査電極３及び維持電極４と直行する方向に形成されている。背面基板２に形成されている隔壁の側面及び白色誘電体層５ｂの表面上にはガス放電により発生する紫外線を可視光に変換する蛍光体層７が形成されている。
【０００６】
蛍光体層７は、表示セル毎に、例えば、光の三原色である赤（Ｒ）、緑（Ｇ）及び青（Ｂ）に塗り分けられている。
【０００７】
前面基板１と、背面基板２は１００μm程度の隙間を隔てて対向した状態で固定されており、その周辺部は封着材で気密封止されている。前面基板１と、背面基板２の間に形成される空間は放電空間９を規定しており、この放電空間９内に、ヘリウム、ネオン、キセノンまたはこれらの混合ガスからなる放電ガスが充満される。
【０００８】
図２８は従来のプラズマディスプレイパネルに形成された複数のセルのうちの一つのセル（以下、ＰＤＰセルと呼ぶ。）の断面を拡大した図である。図２８を用いて従来のＰＤＰセルの構成を述べる。図２８を参照すると、前面基板１は、透明ガラス基板１ａ上に所定の間隔を隔て、複数の走査電極３と複数の維持電極４を形成する。走査電極３及び維持電極４はＩＴＯなどの透明電極より形成される。走査電極３及び維持電極４はライン抵抗を下げるために、走査電極３上に金属製のバス電極３ａを付設し、維持電極４上に金属製のバス電極４ａを付設する。
【０００９】
透明ガラス基板１ａ上に形成された走査電極３と、透明ガラス基板１ａ上に形成された維持電極４、その走査電極３上に形成されたバス電極３ａ、その維持電極４上に形成されたバス電極４ａは透明誘電体層５ａで覆われ、透明誘電体層５ａ上には透明誘電体層５ａを放電から保護するＭｇＯ等から成る表面保護層６を形成する。
【００１０】
背面基板２は、透明ガラス基板２ａ上に所定の間隔を隔て、複数のデータ電極８を形成する。データ電極８は白色誘電体層５ｂで覆い、白色誘電体層５ｂ上には、放電により発生する紫外光を可視光に変換するための蛍光体層７を塗布する。蛍光体層７をＰＤＰセル毎に赤（Ｒ）緑（Ｇ）青（Ｂ）に塗り分ければカラー表示のプラズマディスプレイパネルが得られる。
【００１１】
図２９は従来のプラズマディスプレイパネルの表示方向から見た平面図である。図２９を参照すると、前面基板１の透明ガラス基板１ａ上に所定の間隔を隔て、形成された複数の走査電極３と複数の維持電極４は、背面基板２の透明ガラス基板２ａ上に所定の間隔を隔て、形成された複数のデータ電極８とは互いに直交して形成される。
【００１２】
図３０は、上記のカラープラズマディスプレイパネルの電極構造の平面全体図である。図３０を参照すると、カラープラズマディスプレイパネルの電極構造は、ｍ本の走査電極Ｓｉ（ｉ＝１，２，・・・，ｍ）が行方向に形成され、ｎ本のデータ電極Ｄｊ（ｊ＝１，２，・・・，ｎ）が列方向に形成され、その交点に１セルが形成されている。維持電極Ｃｉは走査電極Ｓｉと対であり、行方向に形成され、両者は平行している。
【００１３】
次に、プラズマ表示装置について述べる。図３１は上述のプラズマディスプレイパネルを用いて形成されたプラズマ表示装置の構造を示すブロック図である。
【００１４】
図３１を参照すると、プラズマ表示装置７０は、モジュール構造を有するものとして設計されており、具体的にはアナログインターフェース３０とプラズマディスプレイパネルモジュール４０とで構成されている。アナログインターフェース３０は、受信したアナログ映像信号をディジタル映像信号に変換した後、そのディジタル映像信号をプラズマディスプレイパネルモジュール４０に供給する。
【００１５】
プラズマディスプレイパネルモジュール４０はアナログインターフェース３０から送られたディジタル映像信号に基づいてプラズマディスプレイパネル１００の各々のＰＤＰセルの点灯または非点灯を行い、所望の映像を表示する。
【００１６】
次に、図面を用いて従来のメモリ動作型のＡＣ型プラズマディスプレイパネルの駆動方法について述べる。
【００１７】
図３２は、従来のカラープラズマディスプレイパネルの各電極に印加する駆動電圧波形を示したタイミングチャートである。図３２を参照すると、従来のメモリ動作型のＡＣ型プラズマディスプレイパネルの駆動方法は、まず維持電極４に維持電極基準電位からみて負極性の第１の予備放電パルス１１ａ、走査電極３に走査電極基準電位からみて正極性の第２の予備放電パルス１１ｂを印加し、維持電極４と走査電極３の間に放電開始電圧を超える電位差を与えて、全てのセルを強制的に放電させる。
【００１８】
第１の予備放電パルス１１ａは、前縁、後縁ともに急峻に電圧が変化する矩形波形状である。第２の予備放電パルス１１ｂは前縁が緩やかに変化する傾斜波形状である。前縁の変化率は１０（Ｖ／μｓ）程度よりも小さく設定される。その後走査電極３に走査電極基準電位からみて負極性の予備消去放電パルス１２を印加し、再び全てのセルを強制的に放電させる。予備消去放電パルス１２は前縁が緩やかに変化する傾斜波形状である。前縁の変化率は１０（Ｖ／μｓ）程度よりも小さく設定される。
【００１９】
予備放電パルスによる放電動作を予備放電と呼び、予備消去放電パルスによる放電動作を予備消去放電と呼ぶ。予備消去放電は、壁電荷分布を調整し、後続する他の駆動パルス印加によって、誤放電が発生するのを防止する機能がある。また予備放電及び予備消去放電を行うことで、表示セル内の活性粒子密度が増加し後の書き込み放電発生の反応速度が向上する。
【００２０】
予備放電および予備消去放電後、走査電極Ｓ１〜Ｓmにそれぞれタイミングをずらして走査パルス１３を印加する。走査パルス１３は走査電極基準電位からみて負極性である。走査パルス１３を印加したタイミングに合わせて、データ電極Ｄ１〜Ｄnに表示情報に応じてデータパルス１４を印加する。データパルス１４はデータ電極基準電位からみて正極性である。データパルス１４の斜線は、該当セルに対する表示情報の有無に従い、データパルス１４の有無が決定されていることを示す。走査パルス１３印加時に、データパルス１４が印加されたセルでは、走査電極３とデータ電極８の間の放電空間９で放電が発生するが、走査パルス１３印加時に、データパルス１４が印加されないと放電は生じない。この放電の有無で各セルに表示情報を書き込むため、これを書き込み放電と呼ぶ。
【００２１】
また、上記構成の書き込み放電では、走査電極３とデータ電極８の間の放電を引き金にして、走査電極３と維持電極４の間の放電が誘発されることがある。この走査電極３と維持電極４の間の放電をより安定に発生させるため、維持電極に維持電極基準電位からみて正極性のバイアス電位（副走査パルス１７）を印加して、書き込み放電時の走査電極と維持電極の電位差（表示ギャップ電位差）を大きくすることもある。また走査パルス１３の振幅を減らすために、走査期間のほぼ全域において、走査電極に走査電極基準電位から見て負極性のバイアス電位（走査ベースパルス１８）を印加し、変位分だけを走査パルスとして印加することがある。
【００２２】
走査電極３とデータ電極８の間の放電を引き金にして、走査電極３と維持電極４の間の放電が誘発されるためには、走査電極３と維持電極４の電位差の調整が必要である。すなわち、「走査電極３とデータ電極８の間の放電が発生したときに走査電極３と維持電極４で放電が発生する閾値」以上であり、誤動作を防ぐため、「走査電極３とデータ電極８の間の放電が発生しないときに走査電極３と維持電極４で放電が発生する閾値」以下であるような電位差である。
【００２３】
書き込み放電が生じたセルでは、走査電極３上の透明誘電体層５ａに壁電荷と呼ばれる正電荷が蓄積している。このときデータ電極８上の白色誘電体層５ｂには負の壁電荷が蓄積している。その後、走査電極３上の透明誘電体層５ａに形成された正の壁電荷による正電位と、負極性であって、維持電極４に印加する第１番目の維持パルス１５ａの重畳により第１回目の放電が発生する。また書き込み放電時に走査電極３と維持電極４の間の放電も誘発されていれば、書き込み放電によって維持電極４上の透明誘電体層５ａに負の壁電荷も形成されるため、第１番目の維持パルスには、走査電極３上の透明誘電体層５ａに形成された正の壁電荷による正電位と、維持電極４上の透明誘電体層５ａに形成された負の壁電荷による負電位とが重畳され、第１回目の放電が発生する。
【００２４】
第１回目の放電が生ずると、維持電極４上の透明誘電体層５ａに正の壁電荷が、また走査電極３上の透明誘電体層５ａに負の壁電荷が蓄積される。これらの壁電荷による電位差に、走査電極３に印加する２番目の維持パルス１５ｂが重畳され第２回目の放電が生ずる。
【００２５】
以後同様にｎ回目の放電により形成される壁電荷による電位差と、ｎ＋１回目の維持パルスが重畳されて放電が維持される。このためこの放電動作を維持放電と呼ぶ。維持放電の持続回数により輝度の大きさを制御する。
【００２６】
維持パルス１５ａおよび１５ｂの電圧を、これらのパルスを印加しただけでは放電が発生しない程度に予め調整しておくと、書き込み放電が発生しなかったセルには、１番目の維持パルス１５ａ印加前に壁電荷による電位が無いため、第１番目の維持パルス１５ａを印加しても第１回目の維持放電は発生せず、従ってそれ以降の維持放電も発生しない。
【００２７】
維持パルス１５ａ,１５ｂの印加の後、全ての走査電極３に走査電極基準電位からみて負極性の維持消去パルス１６を印加し、維持放電が持続していたセルに放電を発生させ、壁電荷分布を初期化する。維持消去パルス１６は前縁が緩やかに変化する傾斜波形状であり、前縁の変化率は１０（Ｖ／μｓ）程度よりも小さく設定される。維持消去パルスによる放電動作を維持消去放電と呼ぶ。
【００２８】
以上説明してきた図３２の駆動電圧波形において、予備放電パルス１１ａ,１１ｂ、予備消去放電パルス１２を印加する期間を予備放電期間、走査パルス１３、データパルス１４（場合によっては副走査パルス１７、走査ベースパルス１８）を印加する期間を走査期間、維持パルス１５ａ，１５ｂを印加する期間を維持期間、維持消去パルス１６を印加する期間を維持消去期間と呼ぶ。プラズマディスプレイパネルは１画面を表示するための期間（例えば１／６０秒）である１フィールドに予備放電期間、走査期間、維持期間、維持消去期間を有する。１フィールドを、複数のサブフィールド（例えば４サブフィールド）に分割して１画面を表示する場合は、各々のサブフィールドに予備放電期間、走査期間、維持期間、維持消去期間を有する。その場合、図３２は、一つのサブフィールド（ＳＦ）について示している。
【００２９】
従来のプラズマディスプレイパネルにおける階調表示方法について、図３３を用いて説明する。プラズマディスプレイパネルは１画面を表示するための期間（例えば１／６０秒）である１フィールドに予備放電期間、走査期間、維持期間、維持消去期間を有する。１フィールドを、複数のサブフィールド（例えば４サブフィールド）に分割して１画面を表示する場合は、各々のサブフィールドに予備放電期間、走査期間、維持期間、維持消去期間を有する。
【００３０】
個々のサブフィールドは例えば図３２に示す構成であり、それぞれのサブフィールドは他のサブフィールドとは独立に表示のＯＮ／ＯＦＦが制御される。また各サブフィールドは、維持期間の長さ、言い換えると維持パルスの個数が異なり、従って輝度も異なる。図３３に示す４サブフィールド分割において、それぞれのサブフィールドを単独で発光させたときの輝度の比が１：２：４：８になるように調整しておくと、４つのサブフィールドの表示ＯＮ／ＯＦＦの組み合わせによって、全サブフィールド非選択の場合の輝度比０から、全サブフィールド選択の場合の輝度比１５までの、１６段階の輝度表示が可能となる。一般に１フィールドをｎ個のサブフィールドに分割し、サブフィールド毎の輝度の比を、１（＝２０）：２（＝２１）：…：２ｎ−２：２ｎ−１に設定すると、２ｎ階調表示が可能となる。
【００３１】
上述した従来のプラズマディスプレイパネルの駆動方法では、予備放電と予備消去放電が、全セルおよび全サブフィールドで発生する。全サブフィールド非選択の輝度比０の場合でも、予備放電と予備消去放電による発光のため数ｃｄ／m２の輝度（黒輝度）となる。特に暗室等で映像を見る場合には、この黒輝度によるコントラスト比低下が顕著となっていた。
【００３２】
これに対して、予備放電動作を一部のサブフィールドだけで行う、または一部のセルだけで行う、など予備放電を間引くことでコントラスト比を増加する技術が知られている（例えば、特許文献１参照）。しかし予備放電を間引くと、予備放電がもたらす放電活性の向上という機能も低下するため、書き込み放電の発生が不安定になり、書き込み放電が発生せず維持放電も発生せず、正常な映像表示ができないことがあった。
【００３３】
また、プライミング電極（予備放電電極）をセル間に設け、走査電極または維持電極とプライミング電極の間でプライミング放電（予備放電）を行い、走査電極と維持電極の間で書き込み放電、維持放電、維持消去放電を行う技術が知られている。（例えば、特許文献２参照。）。プライミング放電発光を一部遮光することで黒輝度が低下し、コントラスト比が向上する。プライミング電極を設けたセルを上記の駆動方法で駆動したところ、動画の表示が不安定ではあったが静止画表示は概ね不具合無く制御できた。ここで、動画表示の不安定とは、長時間（数秒間）黒表示であるセルを選択発光するような表示の場合、書き込み放電が発生しない、または書き込み放電が発生しても維持放電に移行しないといった動作の不具合であった。
【００３４】
図３４、図３５を用いて従来技術における放電の発生部位を説明する。図３４は、予備放電電極の無いプラズマディスプレイパネルの従来の駆動方法を示した図である。予備放電電極の無いプラズマディスプレイパネルでは、予備放電と予備消去放電と書き込み放電と維持放電と維持消去放電は、いずれも表示ギャップにおいて発生する。書き込み放電は、走査電極とデータ電極の間で発生するものであるが、その直後に、走査電極と維持電極の間（表示ギャップ）の放電を誘発するものとして、発生場所を表示ギャップと見なしている。同様に、走査電極とデータ電極の間の放電を引き金とし、直後に誘発される放電の発生部位を、書き込み放電の発生場所と定義する。書き込み放電が発生する時点で、表示ギャップ電位差を大きくしておけば、表示ギャップで書き込み放電が発生し、予備放電ギャップ電位差を大きくしておけば、予備放電ギャップで書き込み放電が発生し、両方のギャップの電位差を大きくしておけば、両方のギャップで書き込み放電が発生するようになる。
【００３５】
図３５は、予備放電電極の有るプラズマディスプレイパネルの従来の駆動方法を示した図である。予備放電電極の有るプラズマディスプレイパネルでは、予備放電と予備消去放電を表示ギャップで発生させ、書き込み放電と維持放電と維持消去放電は表示ギャップにおいて発生させる。予備放電電極の有るプラズマディスプレイパネルの従来の駆動方法で発生した、長時間（数秒間以上）の黒表示後の動作不具合は、表示ギャップでの放電が長時間発生していない場合、予備放電ギャップで発生する予備放電によって供給される活性粒子密度では、表示ギャップの放電活性を充分高く出来ないことに起因する。また表示ギャップで長時間放電が発生しない間に、予備放電ギャップで発生する予備放電と予備消去放電、または隣接セルの各放電によって発生した電子、イオンなどの荷電粒子が、走査電極３と維持電極４上の壁電荷量を徐々に減らしてしまい、長時間の後には、書き込み放電、維持放電の発生に不適当な壁電荷分布になってしまうことにも起因する。
【００３６】
より安定した映像表示が可能になり、さらにコントラスト比を増加させたプラズマディスプレイパネルが望まれる。
【００３７】
静止画像を良好に表示でき、かつ、長時間（数秒間）黒表示であるセルを選択発光するような動画表示も良好に表示できるプラズマディスプレイパネルが望まれる。
【００３８】
【特許文献１】特開平８−２２１０３６号公報
【特許文献２】特開平８−９６７１４号公報
【発明の開示】
【発明が解決しようとする課題】
【００３９】
本発明が解決しようとする課題は、予備放電電極を設けたプラズマディスプレイパネルにおいて、コントラスト比を増加させ、安定した動作で静止画像を良好に表示でき、安定した動画を良好に表示できるプラズマ表示装置及びプラズマディスプレイパネルの駆動方法を提供することにある。
【課題を解決するための手段】
【００４０】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００４１】
本発明のプラズマ表示装置は、プラズマディスプレイパネル（４２）と、駆動制御部（４１）とを含んでいる。プラズマディスプレイパネル（４２）は、前面基板（１）と前面基板（１）に対向する背面基板（２）とで形成され、前面基板（１）と背面基板（２）との間隙に放電空間（９）を有している。駆動制御部（４１）は、プラズマディスプレイパネルを駆動するための駆動制御信号を出力する。
前面基板（１）は、第１方向に延伸する複数の走査電極（３）と、複数の走査電極（３）に平行な複数の維持電極（４）と、走査電極（３）に平行な複数の予備放電電極（１９）とを備えている。背面基板（２）は、第１方向と異なる第２方向に延伸するデータ電極（８）を備えている。
前面基板（１）は、走査電極（３）と予備放電電極（１９）の間隙、または、維持電極（４）と予備放電電極（１９）の間隙の少なくとも一方で、放電を発生させる予備放電ギャップ（２１）を有している。前面基板（１）は、走査電極（３）と維持電極（４）との間隙に放電を発生させる表示ギャップ（２０）を有している。
駆動制御部（４１）は、１フィールドを複数のサブフィールドに分割する。駆動制御部（４１）は、駆動制御信号を出力する。その駆動制御信号は、複数のサブフィールドの任意のサブフィールドにおいて予備放電ギャップ（２１）で予備放電を発生させ、複数のサブフィールドの少なくとも一つにおいて表示ギャップ（２０）で予備放電を発生させる。
プラズマディスプレイパネル（４２）は、出力に基づいて駆動する。
【００４２】
上記のプラズマ表示装置は、走査電極（３）と予備放電電極（１９）の間隙で、放電を発生させる予備放電ギャップ（２１）を有している。
駆動制御部（４１）は、駆動制御信号を出力する。その駆動制御信号は、走査電極（３）に印加される走査パルス（１３）に同期して、データ電極（８）に選択的にデータパルス（１４）を印加することにより走査電極（３）とデータ電極（８）の間で放電を発生させ、走査パルス（１３）印加時の予備放電ギャップ（２１）電位差を、走査電極（３）とデータ電極（８）とで放電が発生しているときに予備放電ギャップ（２１）で放電が発生する閾値、よりも大きくし、走査パルス（１３）印加時の予備放電ギャップ（２１）電位差を、走査電極（３）とデータ電極（８）とで放電が発生していないときに予備放電ギャップ（２１）で放電が発生する閾値、よりも小さくし、走査電極（３）とデータ電極（８）の間の放電発生後に、維持放電を発生させ、維持放電の、少なくとも第１番目の維持放電を予備放電ギャップ（２１）で発生させる。
プラズマディスプレイパネル（４２）は、出力に基づいて駆動する。
【００４３】
上記のプラズマ表示装置は、駆動制御部（４１）が、駆動制御信号を出力する。その駆動制御信号は、少なくとも第１番目の維持放電を予備放電ギャップ（２１）で発生させ、他の維持放電を表示ギャップ（２０）で発生させ、放電空間（９）の電荷分布を初期化する維持消去放電を、予備放電ギャップ（２１）と表示ギャップ（２０）との両方で発生させる。
プラズマディスプレイパネル（４２）は、出力に基づいて駆動する。
【００４４】
上記のプラズマ表示装置は、駆動制御部（４１）が、駆動制御信号を出力する。その駆動制御信号は、第１番目を含む維持放電を、表示ギャップ（２０）で発生させ、放電空間の電荷分布を初期化する維持消去放電を、予備放電ギャップ（２１）と表示ギャップ（２０）の両方で発生させる。
プラズマディスプレイパネル（４２）は、出力に基づいて駆動する。
【００４５】
上記のプラズマ表示装置は、駆動制御部（４１）が、駆動制御信号を出力する。その駆動制御信号は、維持消去放電を表示ギャップ（２０）と予備放電ギャップ（２１）との両方に、同時に発生させる。
プラズマディスプレイパネル（４２）は、出力に基づいて駆動する。
【００４６】
上記のプラズマ表示装置は、駆動制御部（４１）が、駆動制御信号を出力する。その駆動制御信号は、走査パルス（１３）印加時の表示ギャップ（２０）電位差を、走査電極（３）とデータ電極（８）とで放電が発生しているときに表示ギャップ（２０）で放電が発生する閾値、よりも大きくし、走査パルス（１３）印加時の表示ギャップ（２０）電位差を、走査電極（３）とデータ電極（８）とで放電が発生していないときに表示ギャップ（２０）で放電が発生する閾値、よりも小さくする。
プラズマディスプレイパネル（４２）は、出力に基づいて駆動する。
【００４７】
上記のプラズマ表示装置は、駆動制御部（４１）が、駆動制御信号を出力する。その駆動制御信号は、複数のサブフィールドの各々において、予備放電ギャップ（２１）で予備放電を発生させる。
プラズマディスプレイパネル（４２）は、出力に基づいて駆動する。
【００４８】
上記のプラズマ表示装置は、駆動制御部（４１）が、駆動制御信号を出力する。その駆動制御信号は、複数のサブフィールドの少なくとも一つのサブフィールドにおいて、表示ギャップ（２０）のみで予備放電を発生させる。
プラズマディスプレイパネル（４２）は、出力に基づいて駆動する。
【００４９】
上記のプラズマ表示装置は、駆動制御部（４１）が、駆動制御信号を出力する。その駆動制御信号は、複数のサブフィールドのうち少なくとも一つのサブフィールドにおいて、予備放電ギャップ（２１）のみに予備放電を発生させ、予備放電ギャップ（２１）で予備放電を行うサブフィールド以外のサブフィールドにおいて、表示ギャップ（２０）のみに予備放電を発生させる。
プラズマディスプレイパネル（４２）は、出力に基づいて駆動する。
【００５０】
上記のプラズマ表示装置において、駆動制御部（４１）は、表示ギャップ（２０）で発生する表示放電の履歴を検出し、履歴に基づいて、予備放電を表示ギャップ（２０）で行うか否かを制御する。
【００５１】
上記のプラズマ表示装置において、表示放電の履歴は、所定の期間及び所定の領域の少なくとも一方あたりのセルの発光回数である。
【００５２】
本発明のプラズマディスプレイパネルの駆動方法は、前面基板（１）と前面基板（１）に対向する背面基板（２）とで形成され、前面基板（１）と背面基板（２）との間隙に放電空間（９）を有しているプラズマディスプレイパネル（４２）の駆動方法である。
ここで、前面基板（１）は、第１方向に延伸する複数の走査電極（３）と、複数の走査電極（３）に平行な複数の維持電極（４）と、走査電極（３）に平行な複数の予備放電電極（１９）とを備えている。背面基板（２）は、第１方向と異なる第２方向に延伸するデータ電極（８）を備えている。前面基板（１）は、走査電極（３）と予備放電電極（１９）の間隙、または、維持電極（４）と予備放電電極（１９）の間隙の少なくとも一方で、放電を発生させる予備放電ギャップ（２１）を有している。前面基板（１）は、走査電極（３）と維持電極（４）との間隙に放電を発生させる表示ギャップ（２０）を有している。
そして、１フィールドを複数のサブフィールドに分割するステップと、複数のサブフィールドの任意のサブフィールドにおいて、予備放電ギャップ（２１）で予備放電を行うステップと、複数のサブフィールドの少なくとも一つにおいて、表示ギャップ（２０）で予備放電を行うステップとを具備する。
【００５３】
上記の走査電極（３）と予備放電電極（１９）の間隙で放電を発生させる予備放電ギャップ（２１）を有したプラズマディスプレイパネルの駆動方法は、走査電極（３）に印加される走査パルス（１３）に同期して、データ電極（８）に選択的にデータパルス（１４）を印加することにより走査電極（３）とデータ電極（８）の間で放電を行うステップと、走査電極（３）とデータ電極（８）の間の放電発生後に、維持放電を発生させるステップとを更に具備する。走査パルス（１３）印加時の予備放電ギャップ（２１）電位差は、走査電極（３）とデータ電極（８）とで放電が発生しているときに予備放電ギャップ（２１）で放電が発生する閾値、よりも大きく、走査電極（３）とデータ電極（８）とで放電が発生していないときに予備放電ギャップ（２１）で放電が発生する閾値、よりも小さく設定される。維持放電は、少なくとも第１番目の維持放電を予備放電ギャップ（２１）で発生させる。
【００５４】
そのプラズマディスプレイパネルの駆動方法において、放電空間（９）の電荷分布を初期化する維持消去放電を、予備放電ギャップ（２１）と表示ギャップ（２０）との両方で発生させるステップを更に具備する。維持放電を発生させるステップは、少なくとも第１番目の維持放電を予備放電ギャップ（２１）で発生させるステップと、他の維持放電を表示ギャップ（２０）で発生させるステップとを備える。
【００５５】
そのプラズマディスプレイパネルの駆動方法において、放電空間（９）の電荷分布を初期化する維持消去放電を、予備放電ギャップ（２１）と表示ギャップ（２０）の両方で発生させるステップを更に具備する。維持放電を発生させるステップは、第１番目を含む維持放電を、表示ギャップ（２０）で発生させるステップを備える。
【００５６】
そのプラズマディスプレイパネルの駆動方法において、維持消去放電を発生させるステップは、維持消去放電を表示ギャップ（２０）と予備放電ギャップ（２１）との両方に、同時に発生させるステップとを備える。
【００５７】
そのプラズマディスプレイパネルの駆動方法において、走査パルス（１３）印加時の表示ギャップ（２０）電位差は、走査電極（３）とデータ電極（８）とで放電が発生しているときに表示ギャップ（２０）で放電が発生する閾値、よりも大きく、走査電極（３）とデータ電極（８）とで放電が発生していないときに表示ギャップ（２０）で放電が発生する閾値、よりも小さく設定されるステップとを更に具備する。
【００５８】
そのプラズマディスプレイパネルの駆動方法において、複数のサブフィールドの任意のサブフィールドにおいて予備放電ギャップ（２１）で予備放電を行うステップは、複数のサブフィールドの各々において、予備放電ギャップ（２１）で予備放電を発生させるステップを備える。
【００５９】
そのプラズマディスプレイパネルの駆動方法において、複数のサブフィールドの少なくとも一つにおいて表示ギャップ（２０）で予備放電を行うステップは、複数のサブフィールドの各々において、表示ギャップ（２０）で予備放電を行うステップを備える。
【００６０】
そのプラズマディスプレイパネルの駆動方法において、複数のサブフィールドの少なくとも一つにおいて表示ギャップ（２０）で予備放電を行うステップは、複数のサブフィールドのうち一つにおいて、予備放電を表示ギャップ（２０）に発生させるステップを備える。
【００６１】
そのプラズマディスプレイパネルの駆動方法において、複数のサブフィールドの任意のサブフィールドにおいて予備放電ギャップ（２１）で予備放電を行うステップは、複数のサブフィールドのうち少なくとも一つのサブフィールドにおいて、予備放電ギャップ（２１）のみに予備放電を発生させるステップを備える。複数のサブフィールドの少なくとも一つにおいて表示ギャップ（２０）で予備放電を行うステップは、予備放電ギャップ（２１）で予備放電を行うサブフィールド以外のサブフィールドにおいて、表示ギャップ（２０）のみに予備放電を発生させるステップを備える。
【００６２】
上記のプラズマディスプレイパネルの駆動方法において、表示ギャップで発生する表示放電の履歴を検出するステップと、履歴に基づいて、予備放電を表示ギャップで行うか否かを制御するステップとを更に具備する。
【００６３】
上記のプラズマディスプレイパネルの駆動方法において、表示放電の履歴は、所定の期間及び所定の領域の少なくとも一方あたりのセルの発光回数である。
【００６４】
本発明のプラズマ表示装置は、互いに対向する前面基板（１）と背面基板（２）との間隙に放電空間（９）を有し、放電空間（９）に複数の表示放電ギャップ（表示ギャップ２０）（と予備放電ギャップ（２１）が形成され、１フィールドを複数のサブフィールドに分割して表示する。そして、１フィールド又は所定の複数フィールドのうちの少なくとも１サブフィールドには表示放電ギャップ（２０）で予備放電を発生させることを特徴とする。
【００６５】
本発明のプラズマ表示装置は、互いに対向する前面基板（１）と背面基板（２）との間隙に放電空間（９）を有し、放電空間（９）に複数の表示放電ギャップ（表示ギャップ２０）と表示放電ギャップ（２０）に対応する複数の予備放電ギャップ（２１）が形成され、１フィールドを複数のサブフィールドに分割して表示する。そして、表示放電ギャップ（２０）で発生する表示放電の履歴を検出し、履歴に応じて表示放電ギャップ（２０）で発生する予備放電を制御することを特徴とする。
【発明の効果】
【００６６】
本発明により、前面基板上かつ隣接するセル間となる位置に走査電極３、維持電極４とは独立の予備放電電極１９を備えたプラズマディスプレイパネルを駆動するにあたり、１フィールド中１サブフィールド程度の頻度で、表示ギャップにおいても予備放電と予備消去放電を行うことで、長時間黒表示状態であったセルの表示ギャップの放電活性を高め、確実に維持放電を発生させることができる。その結果、表示品位の高いプラズマディスプレイパネルを得ることができる。
【発明を実施するための最良の形態】
【００６７】
［実施例の構成］
以下に、図面を用いて本発明の実施の形態について述べる。図１は、本発明の
実施の形態におけるＰＤＰセルの断面図である。図１を参照すると、本実施の形態のプラズマディスプレイパネルは、前面基板１と、背面基板２とで構成される。
【００６８】
前面基板１は、透明ガラス基板１ａと、透明ガラス基板１ａ上に平行に配置された走査電極３と、透明ガラス基板１ａ上に維持電極４と、透明ガラス基板１ａ上に予備放電電極１９と、その走査電極３上に形成されたバス電極３ａ、その維持電極４上に形成されたバス電極４ａ、透明ガラス基板１ａ上に形成され、走査電極３と維持電極４とバス電極３ａ、３ｂと予備放電電極１９を覆う透明誘電体層５ａと、その透明誘電体層５ａを覆う表面保護層６と、から構成されている。その予備放電電極１９、走査電極３、維持電極４は相互に平行に形成されている。
【００６９】
背面基板２は、透明ガラス基板２ａと、透明ガラス基板２ａ上に形成されたデータ電極８と、透明ガラス基板２ａ上に形成され、そのデータ電極を覆う白色誘電体層５ｂと、その白色誘電体層５ｂ上に形成され、表示セルを区画する隔壁１０とから構成されている。そのデータ電極８は走査電極３及び維持電極４と直行する方向に形成されている。
【００７０】
背面基板２に形成されている隔壁の側面及び白色誘電体層５ｂの表面上にはガス放電により発生する紫外線を可視光に変換する蛍光体層７が形成されている。
【００７１】
蛍光体層７は、表示セル毎に、例えば、光の三原色である赤（Ｒ）、緑（Ｇ）及び青（Ｂ）に塗り分けられている。
【００７２】
前面基板１と、背面基板２は１００μm程度の隙間を隔てて対向した状態で固定されており、その周辺部は封着材で気密封止されている。前面基板１と、背面基板２の間に形成される空間は放電空間９を規定しており、この放電空間９内に、ヘリウム、ネオン、キセノンまたはこれらの混合ガスからなる放電ガスが充満される。
【００７３】
図２は本発明の実施の形態のプラズマディスプレイパネルを表示方向から見た平面図である。図２を参照すると、前面基板１の透明ガラス基板１ａ上に所定の間隔を隔て形成された走査電極３、維持電極４、及び予備放電電極１９は相互に平行に形成される。背面基板２の透明ガラス基板２ａ上に所定の間隔を隔て、形成された複数のデータ電極８（図示せず）と、走査電極３、維持電極４、及び予備放電電極１９とは互いに直交して形成される。
【００７４】
図３は、本発明の実施の形態のプラズマディスプレイパネルを用いて形成されたプラズマ表示装置の構造を示すブロック図である。
【００７５】
図３を参照すると、プラズマ表示装置７０は、モジュール構造を有するものとして設計されており、具体的にはアナログインターフェース３０とプラズマディスプレイパネルモジュール４０とで構成されている。アナログインターフェース３０は、受信したアナログ映像信号をディジタル映像信号に変換した後、そのディジタル映像信号をプラズマディスプレイパネルモジュール４０に供給する。
【００７６】
プラズマディスプレイパネルモジュール４０はさらに、駆動制御部４１とパネル部４２と電源回路４３とから構成される。駆動制御部４１は、アナログインターフェース３０から送られたディジタル映像信号に基づいてプラズマディスプレイパネルを駆動させる駆動制御信号をパネル部４２へ出力し、パネル部４２はその駆動制御信号に基づいてプラズマディスプレイパネルの各々のＰＤＰセルの点灯または非点灯を行い、所望の映像を表示する。
【００７７】
［実施例の動作］
次に、図面を用いて［実施例の構成］で述べたプラズマディスプレイパネルを用いて構成されたプラズマ表示装置の表示動作について述べる。特にここでは本実施の形態におけるプラズマ表示装置が、プラズマディスプレイパネルの駆動を行う駆動制御回路からの出力信号でどのような放電を発生させ、映像を表示させるのかを詳細に述べる。
【００７８】
図４は、本発明の実施の形態における、第１の実施の動作の放電発生部位を示した図である。図４を参照すると、本実施の形態では、前面基板上かつ隣接するセル間となる位置に走査電極３、維持電極４とは独立の予備放電電極１９を備えたプラズマディスプレイパネルを駆動するにあたり、走査電極３と予備放電電極１９の間隙である予備放電ギャップ２１において、全サブフィールドで予備放電および予備消去放電を行い、維持電極４と走査電極３の間隙である表示ギャップ２０において、全サブフィールドで書き込み放電と維持放電と維持消去放電を行い、さらに１フィールド中の１サブフィールドだけ、表示ギャップ２０において予備放電と予備消去放電を行う。
【００７９】
図５は、本発明の実施の形態における、第１の実施の動作のフローチャートである。ここでは、第１番目のサブフィールドで予備放電ギャップ２１及び表示ギャップ２０で予備放電および予備消去放電を行うものとする。ただし、本発明は第１番目に限定されない。
図５を参照すると、第１番目のサブフィールドで予備放電ギャップ２１及び表示ギャップ２０で予備放電および予備消去放電を行う（ステップＳ０１）。次に、表示ギャップ２０において、書き込み放電を行う（ステップＳ０２）。続いて、表示ギャップ２０において、維持放電を行う（ステップＳ０３）。その後、表示ギャップ２０において、維持消去放電を行う（ステップＳ０４）。１フィールド中の２番目以降のサブフィールドが残っているので（ステップＳ０５：ＮＯ）、ステップＳ０１へ戻る。２番目以降のサブフィールドでは、予備放電ギャップ２１で予備放電および予備消去放電を行う（Ｓ０１）。その後、表示ギャップ２０において、書き込み放電（Ｓ０２）、維持放電（Ｓ０３）、維持消去放電を行う（Ｓ０４）。１フィールド中の全てのサブフィールドの放電が終了したら（Ｓ０５：ＹＥＳ）、次のフィールドについて、上記プロセスを行う。
【００８０】
図６は、本発明の実施の形態における、予備放電ギャップと表示ギャップの両方で予備放電を行う駆動波形である。維持電極４に維持電極基準電位からみて負極性の予備放電パルス１１ａ、走査電極３に走査電極基準電位からみて正極性の予備放電パルス１１ｂ、予備放電電極１９に予備放電電極基準電位からみて負極性の予備放電パルス１１ｃを印加し、予備放電ギャップと表示ギャップのそれぞれに放電開始電圧を超える電位差を与えて、予備放電を発生させる。その後、走査電極３に走査電極基準電位からみて負極性の予備消去放電パルス１２を印加し、両ギャップに予備消去放電を発生させる。
【００８１】
図７は予備放電ギャップで予備放電を行い、表示ギャップでは予備放電を行わない駆動波形である。予備放電電極１９に予備放電電極基準電位からみて負極性の予備放電パルス１１ｃを印加し、予備放電ギャップに放電開始電圧を超える電位差を与えて、予備放電を発生させる。その後、走査電極３に走査電極基準電位からみて負極性の予備消去放電パルス１２を印加し、予備放電ギャップに予備消去放電を発生させる。
【００８２】
本実施の形態に示すように、１フィールド中の１サブフィールドで表示ギャップに予備放電および予備消去放電を発生させ、表示ギャップでの放電活性を強め、かつ壁電荷分布を定期的に初期化し、動画表示に適応させることができた。具体的には、長時間黒表示であったセルを、適切にアドレッシングし維持放電に移行させることができるようになった。
【００８３】
本実施の形態で述べた駆動方法を用いてプラズマディスプレイを駆動することで、書き込み放電発生の不安定性が解消された。さらに、図１、及び図２では、予備放電電極１９と走査電極３とで予備放電ギャップを形成する構造を示した。しかし、本実施形態では、これに限らず図８及び図９で示すように、予備放電電極１９ａと維持電極４ａとで予備放電ギャップ２１を形成する構造であっても発明の効果は変わらない。
【００８４】
図１０は、本発明の第２の実施の動作における放電発生部位を示した図である。図１０を参照すると、図１０に示された放電発生部位で発生する放電は、前面基板上かつ隣接するセル間となる位置に走査電極、維持電極とは独立の予備放電電極を備えたプラズマディスプレイパネルを駆動するにあたり、予備放電ギャップにおいて、全サブフィールドで予備放電および予備消去放電と書き込み放電と少なくとも第１番目の維持放電と維持消去放電を行い、表示ギャップにおいて、全サブフィールドで少なくとも第１番目を除く維持放電と維持消去放電を行い、さらに１フィールド中の１サブフィールドだけ、表示ギャップにおいて予備放電と予備消去放電を行う点を特徴とする。本実施形態では、予備放電ギャップにおいて書き込み放電を発生させるため、予備放電電極１９と走査電極３とで予備放電ギャップを形成する構造が望ましい。
【００８５】
図１１は、本発明の実施の形態における、第２の実施の動作のフローチャートである。ここでは、第１番目のサブフィールドで予備放電ギャップ２１及び表示ギャップ２０で予備放電および予備消去放電を行うものとする。ただし、本発明は第１番目に限定されない。
図１１を参照すると、第１番目のサブフィールドで予備放電ギャップ２１及び表示ギャップ２０で予備放電および予備消去放電を行う（ステップＳ１１）。次に、予備放電ギャップ２１において、書き込み放電を行う（ステップＳ１２）。続いて、予備放電ギャップ２１において、第１維持放電を行う（ステップＳ１３）。続いて、表示ギャップ２０において、維持放電を行う（ステップＳ１４）。その後、予備放電ギャップ２１と表示ギャップ２０において、維持消去放電を行う（ステップＳ１５）。１フィールド中の２番目以降のサブフィールドが残っているので（ステップＳ１６：ＮＯ）、ステップＳ１１へ戻る。２番目以降のサブフィールドでは、予備放電ギャップ２１において、予備放電および予備消去放電（Ｓ１１）、書き込み放電（Ｓ１２）、第１維持放電（Ｓ１３）を行う。その後、表示ギャップ２０において、維持放電（Ｓ１４）を行い、予備放電ギャップ２１と表示ギャップ２０で維持消去放電を行う（Ｓ１５）。１フィールド中の全てのサブフィールドの放電が終了したら（Ｓ１６：ＹＥＳ）、次のフィールドについて、上記プロセスを行う。
【００８６】
図１０に示した放電発生部位に放電を行う場合の具体的な駆動波形を図１２、及び図１３に示す。図１２は、予備放電ギャップと表示ギャップの両方で予備放電を行う駆動波形である。図１３は、予備放電ギャップで予備放電を行い、表示ギャップでは予備放電を行わない場合の駆動波形である。
【００８７】
図１２を参照すると、維持電極４に維持電極基準電位からみて負極性の予備放電パルス１１ａ、走査電極３に走査電極基準電位からみて正極性の予備放電パルス１１ｂ、予備放電電極１９に予備放電電極基準電位からみて負極性の予備放電パルス１１ｃを印加し、予備放電ギャップと表示ギャップのそれぞれに放電開始電圧を超える電位差を与えて、予備放電を発生させる。その後、走査電極３に走査電極基準電位からみて負極性の予備消去放電パルス１２を印加し、両ギャップに予備消去放電を発生させる。走査期間には予備放電電極１９に予備放電電極基準電位から見て正極性の副走査パルス１７ｃを印加し、走査とデータの対向電極間で発生した放電を引き金として、予備放電ギャップでの放電を誘発させる。このとき維持電極４には副走査パルス１７を印加しない／または維持電極基準電位から見て負極性の副走査パルスを印加し、表示ギャップでの放電は発生させない。この結果、書き込み放電後には、予備放電電極１９に負極性、走査電極３には正極性の壁電荷が形成される。予備放電電極１９上の負極性壁電荷と走査電極３上の正極性壁電荷と、予備放電電極に印加する負極性維持パルス１５ｃが重畳し、予備放電ギャップにおいて第１番目の維持放電が発生し、放電後には、予備放電電極１９上に正極性、走査電極３上に負極性と、放電発生前とは逆極性の壁電荷が形成される。第１番目の維持放電後の壁電荷と、走査電極３に印加する負極性の維持パルス１５ｂとが重畳し、予備放電ギャップにおいて第２番目の維持放電が発生し、放電後には、予備放電電極１９上に負極性、走査電極３上に正極性の壁電荷が形成される。次に、維持電極４に負極性の維持パルス１５ａが印加されると、第２番目の維持放電によって形成されていた走査電極３上の正極性の壁電荷と重畳し、表示ギャップにおいて第３番目の維持放電が発生する。以後、走査電極３と維持電極４に交互に印加する維持パルス列によって、表示ギャップでの維持放電が繰り返される。ここで予備放電電極１９に印加する維持パルス１５ｃのパルス幅を広くすることで、書き込み放電から第１の維持放電へ確実に移行させることが可能となっている。維持期間の後、走査電極３に走査電極基準電位からみて負極性の維持消去パルス１６を印加し、維持放電が持続していたセルに維持消去放電を発生させる。維持消去放電は、上述の維持放電によって予備放電電極と維持電極上に形成されているそれぞれ正極性の壁電荷と、走査電極に形成されている負極性の壁電荷と、負極性の維持消去パルス１６とが重畳し、表示ギャップと予備放電ギャップの両方で発生する。
【００８８】
図１３を参照すると、維持電極４に予備放電パルス１１ａを印加しないことから、表示ギャップで予備放電および予備消去放電が発生しないこと以外は、図１２の駆動波形と同様の放電制御動作が行われる。
【００８９】
第２の実施の動作では第１の実施形態と同じく、１フィールド中の１サブフィールドで表示ギャップに予備放電および予備消去放電を発生させることにより、表示ギャップでの放電活性を強め、かつ壁電荷分布を定期的に初期化し、動画表示に適応可能となり、長時間黒表示であったセルを、適切にアドレッシングし維持放電に移行させることができる。また書き込み放電は予備放電ギャップ、ほとんどの維持放電は表示ギャップ、と発生部位が変わるため、予備放電ギャップには書き込み放電の発生および維持放電への移行に適した駆動波形またはセル構造、表示ギャップには維持放電に適した例えば高発光効率または高電荷回収能率の駆動波形またはセル構造、をそれぞれ独立に適用することが可能となる。その結果、書き込み放電の安定した発生、維持放電への確実な移行、高発光効率、高電荷回収能率など、場合によってはトレードオフになるような様々な特性を同時に獲得することができる。一例を挙げれば、予備放電ギャップにおいて発生させる第１番目の維持放電のために、予備放電電極にパルス幅の広いかつ／または波高値の高い第１番目の維持パルスを印加することで、書き込み放電から第１番目の維持放電への移行を確実にし、走査電極および維持電極には、パルス幅の狭いかつ／または波高値の低い維持パルスを印加することで高発光効率の維持放電とすることができる。
【００９０】
図１４は、本発明の第３の実施の動作における放電発生部位を示した図である。図１４を参照すると、図１４に示された放電発生部位で発生する放電は、前面基板上かつ隣接するセル間となる位置に走査電極、維持電極とは独立の予備放電電極を備えたプラズマディスプレイパネルを駆動するにあたり、予備放電ギャップにおいて、全サブフィールドで予備放電および予備消去放電と書き込み放電と少なくとも第１番目の維持放電と維持消去放電を行い、表示ギャップにおいて、全サブフィールドで書き込み放電と少なくとも第１番目を除く維持放電と維持消去放電を行い、さらに１フィールド中の１サブフィールドだけ、表示ギャップにおいて予備放電と予備消去放電を行う点を特徴とする。本実施形態では、予備放電ギャップにおいて書き込み放電を発生させるため、予備放電電極１９と走査電極３とで予備放電ギャップを形成する構造が望ましい。
【００９１】
図１５は、本発明の実施の形態における、第３の実施の動作のフローチャートである。ここでは、第１番目のサブフィールドで予備放電ギャップ２１及び表示ギャップ２０で予備放電および予備消去放電を行うものとする。ただし、本発明は第１番目に限定されない。
図１５を参照すると、第１番目のサブフィールドで予備放電ギャップ２１及び表示ギャップ２０で予備放電および予備消去放電を行う（ステップＳ２１）。次に、予備放電ギャップ２１及び表示ギャップ２０において、書き込み放電を行う（ステップＳ２２）。続いて、予備放電ギャップ２１において、第１維持放電を行う（ステップＳ２３）。続いて表示ギャップ２０において、維持放電を行う（ステップＳ２４）。その後、予備放電ギャップ２１と表示ギャップ２０において、維持消去放電を行う（ステップＳ２５）。１フィールド中の２番目以降のサブフィールドが残っているので（ステップＳ２６：ＮＯ）、ステップＳ２１へ戻る。２番目以降のサブフィールドでは、予備放電ギャップ２１において、予備放電および予備消去放電（Ｓ２１）を行う。次に、予備放電ギャップ２１及び表示ギャップ２０において、書き込み放電（Ｓ２２）を行う。続いて、予備放電ギャップ２１において、第１維持放電を行う（Ｓ２３）。その後、表示ギャップ２０において、維持放電（Ｓ２４）を行い、予備放電ギャップ２１と表示ギャップ２０で維持消去放電を行う（Ｓ２５）。１フィールド中の全てのサブフィールドの放電が終了したら（Ｓ２６：ＹＥＳ）、次のフィールドについて、上記プロセスを行う。
【００９２】
図１４に示した放電発生部位に放電を行う場合の具体的な駆動波形を図１６、及び図１７に示す。図１６は、予備放電ギャップと表示ギャップの両方で予備放電を行う場合の駆動波形を示した図である。図１７は、予備放電ギャップだけで予備放電を行う場合の駆動波形を示した図である。
【００９３】
図１６を参照すると、維持電極４に維持電極基準電位からみて負極性の予備放電パルス１１ａ、走査電極３に走査電極基準電位からみて正極性の予備放電パルス１１ｂ、予備放電電極１９に予備放電電極基準電位からみて負極性の予備放電パルス１１ｃを印加し、予備放電ギャップと表示ギャップのそれぞれに放電開始電圧を超える電位差を与えて、予備放電を発生させる。走査期間に、維持電極４に維持電極基準電位から見て正極性の副走査パルス１７を印加し、予備放電電極１９に予備放電電極基準電位から見て正極性の副走査パルス１７ｃを印加する。従って、走査とデータの対向電極間で発生した放電を引き金とし、表示ギャップと予備放電ギャップの双方で放電が誘発される。この結果、書き込み放電後には、予備放電電極１９と維持電極４のどちらにも負極性の壁電荷、走査電極３には正極性の壁電荷が形成される。予備放電電極１９上の負極性壁電荷と走査電極３上の正極性壁電荷と、予備放電電極に印加する負極性維持パルス１５ｃが重畳し、予備放電ギャップにおいて第１番目の維持放電が発生し、放電後には、予備放電電極１９上に正極性、走査電極３上に負極性と、放電発生前とは逆極性の壁電荷が形成される。第１番目の維持放電後の壁電荷と、走査電極３に印加する負極性の維持パルス１５ｂとが重畳し、予備放電ギャップにおいて第２番目の維持放電が発生し、放電後には、予備放電電極１９上に負極性、走査電極３上に正極性の壁電荷が形成される。次に、維持電極４に負極性の維持パルス１５ａが印加されると、第２番目の維持放電によって形成されていた走査電極３上の正極性の壁電荷と、書き込み放電によって形成されていた維持電極４上の負極性の壁電荷と重畳し、表示ギャップにおいて第３番目の維持放電が発生する。
【００９４】
図１７を参照すると、維持電極４に予備放電パルス１１ａを印加しないことから、表示ギャップで予備放電および予備消去放電が発生しないこと以外は、図１６の駆動波形と同様の放電制御動作が行われる。
【００９５】
第３の実施の形態に述べた動作でプラズマディスプレイパネルを動作させることで、表示ギャップにおいて最初に発生する、維持期間内では第３番目の維持放電が発生するとき、維持電極４上に負極性の壁電荷が存在しており、壁電荷による電位差と外部から印加する維持パルス１５ａとの重畳による総合的な電位差が、維持電極４上に壁電荷が存在しない場合よりも大きくなる。大きな電位差が与えられるため、表示ギャップにおいて最初に発生する維持放電の発生が確実となる効果が発生する。
【００９６】
図１８は、本発明の第４の実施の形態における放電発生部位を示した図である。図１８を参照すると図１８に示された放電発生部位で発生する放電は、前面基板上かつ隣接するセル間となる位置に走査電極、維持電極とは独立の予備放電電極を備えたプラズマディスプレイパネルを駆動するにあたり、予備放電ギャップにおいて、サブフィールドで予備放電および予備消去放電と書き込み放電と少なくとも第１番目の維持放電と維持消去放電を行い、表示ギャップにおいて、全サブフィールドで書き込み放電と第１番目を含む維持放電と維持消去放電を行い、さらに１フィールド中の１サブフィールドだけ、表示ギャップにおいて予備放電と予備消去放電を行う点を特徴とする。本実施形態では、予備放電ギャップにおいて書き込み放電を発生させるため、予備放電電極１９と走査電極３とで予備放電ギャップを形成する構造が望ましい。
【００９７】
図１９は、本発明の実施の形態における、第４の実施の動作のフローチャートである。ここでは、第１番目のサブフィールドで予備放電ギャップ２１及び表示ギャップ２０で予備放電および予備消去放電を行うものとする。ただし、本発明は第１番目に限定されない。
図１９を参照すると、第１番目のサブフィールドで予備放電ギャップ２１及び表示ギャップ２０で予備放電および予備消去放電を行う（ステップＳ３１）。次に、予備放電ギャップ２１及び表示ギャップ２０において、書き込み放電を行う（ステップＳ３２）。続いて、予備放電ギャップ２１及び表示ギャップ２０において、第１維持放電を行う（ステップＳ３３）。続いて表示ギャップ２０において、維持放電を行う（ステップＳ３４）。その後、予備放電ギャップ２１及び表示ギャップ２０において、維持消去放電を行う（ステップＳ３５）。１フィールド中の２番目以降のサブフィールドが残っているので（ステップＳ３６：ＮＯ）、ステップＳ３１へ戻る。２番目以降のサブフィールドでは、予備放電ギャップ２１において、予備放電および予備消去放電（Ｓ３１）を行う。次に、予備放電ギャップ２１及び表示ギャップ２０において、書き込み放電（Ｓ３２）と第１維持放電を行う（Ｓ３３）を行う。その後、表示ギャップ２０において、維持放電（Ｓ３４）を行い、予備放電ギャップ２１と表示ギャップ２０で維持消去放電を行う（Ｓ３５）。１フィールド中の全てのサブフィールドの放電が終了したら（Ｓ３６：ＹＥＳ）、次のフィールドについて、上記プロセスを行う。
【００９８】
図１８に示した放電発生部位に放電を行う場合の具体的な駆動波形を図２０、及び図２１に示す。図２０は、予備放電ギャップと表示ギャップの両方で予備放電を行う場合の駆動波形を示した図である。図２１は、予備放電ギャップだけで予備放電を行う場合の駆動波形を示した図である。
【００９９】
図２０を参照すると、維持電極４に維持電極基準電位からみて負極性の予備放電パルス１１ａ、走査電極３に走査電極基準電位からみて正極性の予備放電パルス１１ｂ、予備放電電極１９に予備放電電極基準電位からみて負極性の予備放電パルス１１ｃを印加し、予備放電ギャップと表示ギャップのそれぞれに放電開始電圧を超える電位差を与えて、予備放電を発生させる。走査期間、書き込み放電において、表示ギャップと予備放電ギャップに放電を誘発した後、維持電極４と予備放電電極１９に第１番目の維持パルスを印加する。第１番目の維持放電は、予備放電ギャップと表示ギャップの両方で発生する。
【０１００】
図２１を参照すると、維持電極４に予備放電パルス１１ａを印加しないことから、表示ギャップで予備放電および予備消去放電が発生しないこと以外は、図２０の駆動波形と同様の放電制御動作が行われる。
【０１０１】
第４の実施の形態では、書き込み放電から維持放電への移行性に優れた予備放電ギャップにおいて、第１番目の維持放電が確実に発生し、大量の活性粒子を生み出すため、同時に発生する表示ギャップでの第１番目の維持放電は、格段に確実性を増す。以上のように、第４の実施形態と第３の実施形態は、第１番目の維持放電を予備放電ギャップにおいて発生させる構成によって、維持放電への確実な移行という同一の効果を得る。
【０１０２】
第１から第４実施形態の説明において、１フィールド中の１サブフィールドだけが表示ギャップにおいて予備放電と予備消去放電を行う構成を示したが、この頻度は発明の実施例の一つに過ぎず、より頻度を高く（例えば１フィールド中の２サブフィールド）またはより頻度を低く（例えば２フィールド中の１サブフィールド）など適宜調整できることは言うまでも無い。このとき全サブフィールドで表示ギャップにおいて予備放電を発生させるならば、予備放電電極を備えたＰＤＰの最大の利点である黒輝度低減効果が失われてしまうから、表示ギャップでの予備放電発生頻度は、少なくとも全サブフィールド数よりも小さくすることは当然である。表示ギャップでの予備放電発生頻度を高くすると、表示ギャップの放電活性度合いがさらに強くなること、表示ギャップでの予備放電発生頻度を低くすると、黒輝度が低減できること、などの効果が発生する。
【０１０３】
また、全サブフィールドで予備放電ギャップにおいて予備放電と予備消去放電を行う構成を示したが、一部のサブフィールドで予備放電ギャップでの予備放電を行わない（間引く）ことも本発明の構成に含まれる。予備放電の機能である活性粒子密度の供給量が、フィールド内での必要量を超えているならば、予備放電の回数を減らしても駆動の不具合は発生しない。一部のサブフィールドで予備放電ギャップでの予備放電を行わないことで、黒輝度を削減できる。
【０１０４】
図２２は、本発明の第５の実施の形態における放電発生部位を示した図である。図２２を参照すると図２２に示された放電発生部位で発生する放電は、前面基板上かつ隣接するセル間となる位置に走査電極、維持電極とは独立の予備放電電極を備えたプラズマディスプレイパネルを駆動するにあたり、一部のサブフィールドでは予備放電ギャップだけで予備放電および予備消去放電を行い、残余のサブフィールドでは表示ギャップだけで予備放電および予備消去放電を行う。さらに全てのサブフィールドにおいて、予備放電ギャップで書き込み放電と少なくとも第１番目の維持放電と維持消去放電を行い、表示ギャップにおいて、書き込み放電と少なくとも第１番目を除く維持放電と維持消去放電を行う点を特徴とする。本実施形態では、予備放電ギャップにおいて書き込み放電を発生させるため、予備放電電極１９と走査電極３とで予備放電ギャップを形成する構造が望ましい。
【０１０５】
図２３は、本発明の実施の形態における、第５の実施の動作のフローチャートである。ここでは、第１番目のサブフィールドで予備放電ギャップ２１で予備放電および予備消去放電を行うものとする。ただし、本発明は第１番目に限定されない。
図２３を参照すると、第１番目のサブフィールドで予備放電ギャップ２１で予備放電および予備消去放電を行う（ステップＳ４１）。次に、予備放電ギャップ２１及び表示ギャップ２０において、書き込み放電を行う（ステップＳ４２）。続いて、予備放電ギャップ２１において、第１維持放電を行う（ステップＳ４３）。続いて表示ギャップ２０において、維持放電を行う（ステップＳ４４）。その後、予備放電ギャップ２１と表示ギャップ２０において、維持消去放電を行う（ステップＳ４５）。１フィールド中の２番目以降のサブフィールドが残っているので（ステップＳ４６：ＮＯ）、ステップＳ４１へ戻る。２番目以降のサブフィールドでは、表示ギャップ２０において、予備放電および予備消去放電（Ｓ４１）を行う。次に、予備放電ギャップ２１及び表示ギャップ２０において、書き込み放電（Ｓ４２）を行う。その後、予備放電ギャップ２１において第１維持放電を行い（Ｓ４３）、続いて表示ギャップ２０において、維持放電（Ｓ４４）を行い、予備放電ギャップ２１と表示ギャップ２０において維持消去放電を行う（Ｓ４５）。１フィールド中の全てのサブフィールドの放電が終了したら（Ｓ４６：ＹＥＳ）、次のフィールドについて、上記プロセスを行う。
【０１０６】
図２２に示した放電発生部位に放電を行う場合の具体的な駆動波形を図２４、及び図２５に示す。図２４は、予備放電ギャップと表示ギャップの両方で予備放電を行う場合の駆動波形を示した図である。図２５は、予備放電ギャップだけで予備放電を行う場合の駆動波形を示した図である。
【０１０７】
図２４を参照すると、維持電極４に維持電極基準電位からみて負極性の予備放電パルス１１ａ、走査電極３に走査電極基準電位からみて正極性の予備放電パルス１１ｂを印加し、表示ギャップだけに放電開始電圧を超える電位差を与えて、予備放電を発生させる。その後、走査電極３に走査電極基準電位からみて負極性の予備消去放電パルス１２を印加し、表示ギャップだけに予備消去放電を発生させる。
【０１０８】
図２５を参照すると、予備放電電極１９に予備放電電極基準電位からみて負極性の予備放電パルス１１ｃ、走査電極３に走査電極基準電位からみて正極性の予備放電パルス１１ｂを印加し、予備放電ギャップだけに放電開始電圧を超える電位差を与えて、予備放電を発生させる。その後、走査電極３に走査電極基準電位からみて負極性の予備消去放電パルス１２を印加し、予備放電ギャップだけに予備消去放電を発生させる。
【０１０９】
全てのサブフィールドの走査期間で、維持電極４に副走査パルス１７、予備放電電極１９に副走査パルス１７ｃを印加することで、書き込み放電を表示ギャップ、予備放電ギャップの両方で発生させ、発明の第３の実施形態と同じ発明の効果を得る。さらに本実施形態では、表示ギャップに予備放電を発生させるとき、予備放電ギャップでの予備放電を削除しているから、第３の実施形態よりも黒輝度を低減することができる。表示ギャップでの放電活性度合い、および予備放電ギャップでの放電活性度合いが、弱くなり過ぎないよう、表示ギャップだけで予備放電するサブフィールド（図２４）と予備放電ギャップだけで予備放電するサブフィールド（図２５）は、どちらも少なくとも１フィールドに１サブフィールドは配置することが望ましい。
【０１１０】
次に、本発明の第６の実施の形態について説明する。本発明の第６の実施の動作における放電発生部位は、通常は、図３５に示す予備放電電極を有する従来の駆動方法と同様である。しかし、発光セルの少ないサブフィールドが連続した場合、図４（第１の実施の形態）、図１０（第２の実施の形態）、図１４（第３の実施の形態）、図１８（第４の実施の形態）及び図２２（第５の実施の形態）のうちのいずれか一つを所定のフィールド数だけ実施する。このような方法により、発光セルの少ないサブフィールドが連続した場合、表示ギャップにおける予備放電を施して、その後のアドレッシング及び維持放電を適正に行うことが可能となる。
【０１１１】
図２６は、本発明の実施の形態における、第６の実施の動作のフローチャートである。
駆動制御部４１の入力インターフェース信号処理回路において、サブフィールドごとの発光セル（放電したセル）の数を計数する（ステップＳ５１）。計数結果は、直前の１〜１０フィールド程度分について、サブフィールドと発光セルとを関連付けて、図示されないメモリに格納しておく。この履歴（サブフィールドごとの発光セル数）を参照して、発光セル数が所定の数以下となるサブフィールドが、所定の数（例えば１０サブフィールド）連続した場合（ステップＳ５２：ＹＥＳ）、表示ギャップ２０で予備放電を行う放電プロセスを少なくとも１回実施する（ステップＳ５３）。ただし、表示ギャップ２０で予備放電を行う放電プロセスは、既述の第１〜第５の実施の形態の少なくとも一つである。その後、メモリのデータをリセットして、通常の放電プロセス（図３５）に戻る（ステップＳ５４）。
【０１１２】
また、さらに精度よく履歴を検出するには次のような方法もある。１画面を複数のブロックに分け、サブフィールドごとの各ブロックの発光セル数を計数し、発光セル数が最小のセル数を検出する（Ｓ５１）。この最小セル数が所定数以下のサブフィールドが、例えば１０サブフィールド連続した場合（Ｓ５２：ＹＥＳ）、表示ギャップ２０で予備放電を実施するようにする（Ｓ５３）。
この１ブロックのセル数を少なくすればより精度は上がる。ただし、回路規模は大きくなる。各種表示パターンを使って実験を行い、そのプラズマディスプレイパネルに適した表示放電の履歴を検出することにより、その履歴に応じて表示ギャップで予備放電を実施するようにする。その履歴に応じて、その履歴に対応する表示ギャップと予備放電ギャップで予備放電を実施するようにすることもできる。
【０１１３】
上述の方法により、例えば１０サブフィールド連続して表示放電が発生しなかったセルの存在を大まかに検知し、そのようなセルが存在する場合には、表示ギャップにおける予備放電を施して、その後のアドレッシング及び維持放電を適正に行うことができる。
【０１１４】
本発明は、前面基板上かつ隣接するセル間となる位置に走査電極３、維持電極４とは独立の予備放電電極１９を備えたプラズマディスプレイパネルを駆動するにあたり、１フィールド中１サブフィールド程度の頻度で、表示ギャップにおいても予備放電と予備消去放電を行うことで、長時間黒表示状態であったセルの表示ギャップの放電活性を高め、確実に維持放電を発生させることができる。その結果、表示品位の高いプラズマディスプレイパネルを得ることができる。
【図面の簡単な説明】
【０１１５】
【図１】図１は、本発明の実施の形態におけるプラズマディスプレイパネルのセルの断面図である。
【図２】図２は、本発明の実施の形態におけるプラズマディスプレイパネルのセルを表示方向から見た平面図である。
【図３】図３は、本発明の実施の形態におけるプラズマディスプレイパネルを用いて形成されたプラズマ表示装置の構造を示すブロック図である。
【図４】図４は、第１の実施の動作の放電発生部位を示した図である。
【図５】図５は、本発明の実施の形態における、第１の実施の動作のフローチャートである。
【図６】図６は、予備放電ギャップと表示ギャップの両方で予備放電を行う駆動波形である。
【図７】図７は予備放電ギャップで予備放電を行い、表示ギャップでは予備放電を行わない駆動波形である。
【図８】図８は、本発明の実施の形態におけるプラズマディスプレイパネルのセルの他の変形例を示す断面図である。
【図９】図９は、本発明の実施の形態におけるプラズマディスプレイパネルのセルの他の変形例を表示方向から見た平面図である。
【図１０】図１０は、本発明の第２の実施の動作における放電発生部位を示した図である。
【図１１】図１１は、本発明の実施の形態における、第２の実施の動作のフローチャートである。
【図１２】図１２は、予備放電ギャップと表示ギャップの両方で予備放電を行う駆動波形である。
【図１３】図１３は、予備放電ギャップで予備放電を行い、表示ギャップでは予備放電を行わない場合の駆動波形である。
【図１４】図１４は、本発明の第３の実施の動作における放電発生部位を示した図である。
【図１５】図１５は、本発明の実施の形態における、第３の実施の動作のフローチャートである。
【図１６】図１６は、予備放電ギャップと表示ギャップの両方で予備放電を行う場合の駆動波形を示した図である。
【図１７】図１７は、予備放電ギャップだけで予備放電を行う場合の駆動波形を示した図である。
【図１８】図１８は、本発明の第４の実施の動作における放電発生部位を示した図である。
【図１９】図１９は、本発明の実施の形態における、第４の実施の動作のフローチャートである。
【図２０】図２０は、予備放電ギャップと表示ギャップの両方で予備放電を行う場合の駆動波形を示した図である。
【図２１】図２１は、予備放電ギャップだけで予備放電を行う場合の駆動波形を示した図である。
【図２２】図２２は、本発明の第５の実施の動作における放電発生部位を示した図である。
【図２３】図２３は、本発明の実施の形態における、第５の実施の動作のフローチャートである。
【図２４】図２４は、予備放電ギャップと表示ギャップの両方で予備放電を行う場合の駆動波形を示した図である。
【図２５】図２５は、予備放電ギャップだけで予備放電を行う場合の駆動波形を示した図である。
【図２６】図２６は、本発明の実施の形態における、第６の実施の動作のフローチャートである。
【図２７】図２７は、従来のＡＣ型プラズマディスプレイパネルを示す投影図である。
【図２８】図２８は、従来のプラズマディスプレイパネルのセルの断面図である。
【図２９】図２９は、従来のプラズマディスプレイパネルの表示方向から見た平面図である。
【図３０】図３０は、従来のカラープラズマディスプレイパネルの電極構造の平面全体図である。
【図３１】図３１は、従来のプラズマディスプレイパネルを用いて形成されたプラズマ表示装置の構造を示すブロック図である。
【図３２】図３２は、従来のカラープラズマディスプレイパネルの各電極に印加する駆動電圧波形を示したタイミングチャートである。
【図３３】図３３は、プラズマディスプレイパネルの階調表示方法を説明するタイミングチャートである。
【図３４】図３４は、予備放電電極の無いプラズマディスプレイパネルの従来の駆動方法を示した図である。
【図３５】図３５は、予備放電電極の有るプラズマディスプレイパネルの従来の駆動方法を示した図である。
【符号の説明】
【０１１６】
１        前面基板
１ａ      透明ガラス基板
２        背面基板
２ａ      透明ガラス基板
３        走査電極
３ａ      バス電極
４        維持電極
４ａ      バス電極
５ａ      透明誘電体層
５ｂ      白色誘電体層
６        表面保護層
７        蛍光体層
８        データ電極
９        放電空間
１０      隔壁
１１ａ、１１ｂ、１１ｃ    予備放電パルス
１２      予備消去放電パルス
１３      走査パルス
１４      データパルス
１５ａ、１５ｂ、１５ｃ    維持パルス
１６      維持消去パルス
１７、１７ｃ    副走査パルス
１８      走査ベースパルス
１９      予備放電電極
２０      表示ギャップ
２１      予備放電ギャップ
３０      アナログインターフェース
４０      プラズマディスプレイパネルモジュール
４１      駆動制御部
４２      パネル部
４３      電源回路
７０      プラズマ表示装置
１００    プラズマディスプレイパネル
【図１】
2005010762.tif 000003
【図２】
2005010762.tif 000004
【図３】
2005010762.tif 000005
【図４】
2005010762.tif 000006
【図５】
2005010762.tif 000007
【図６】
2005010762.tif 000008
【図７】
2005010762.tif 000009
【図８】
2005010762.tif 000010
【図９】
2005010762.tif 000011
【図１０】
2005010762.tif 000012
【図１１】
2005010762.tif 000013
【図１２】
2005010762.tif 000014
【図１３】
2005010762.tif 000015
【図１４】
2005010762.tif 000016
【図１５】
2005010762.tif 000017
【図１６】
2005010762.tif 000018
【図１７】
2005010762.tif 000019
【図１８】
2005010762.tif 000020
【図１９】
2005010762.tif 000021
【図２０】
2005010762.tif 000022
【図２１】
2005010762.tif 000023
【図２２】
2005010762.tif 000024
【図２３】
2005010762.tif 000025
【図２４】
2005010762.tif 000026
【図２５】
2005010762.tif 000027
【図２６】
2005010762.tif 000028
【図２７】
2005010762.tif 000029
【図２８】
2005010762.tif 000030
【図２９】
2005010762.tif 000031
【図３０】
2005010762.tif 000032
【図３１】
2005010762.tif 000033
【図３２】
2005010762.tif 000034
【図３３】
2005010762.tif 000035
【図３４】
2005010762.tif 000036
【図３５】
2005010762.tif 000037